(57)【要約】【課題】生産性の著しい低下を招くことなくインク液溜りの上面の皺の発生を抑制することができるインク液充填方法及びカラーフィルタ製造方法を提供する。【解決手段】透明基板１４上の隔壁４０で囲まれた打滴領域４２に、硬化速度が下層から上層に向かって層単位で徐々に遅くなるようにインク液層を積層した積層体６５が形成されるように紫外線による光エネルギーに反応して硬化するインクを充填する。【選択図】図８
2010224259.tif 000002
【特許請求の範囲】
【請求項１】
記録媒体上の隔壁で囲まれた領域に、硬化速度が下層から上層に向かって層単位で徐々に遅くなるようにインク液層を積層した積層体が形成されるように特定のエネルギーに反応して硬化するインク液を充填するインク液充填方法。
【請求項２】
前記インク液は、前記特定のエネルギーに反応して硬化が促進される硬化促進剤を含有しており、
前記積層体を、前記硬化促進剤の含有量が下層から上層に向かって層単位で徐々に少なくなるように前記インク液層を積層させて構成した請求項１記載のインク液充填方法。
【請求項３】
前記インク液に、光エネルギーに反応して硬化が促進される光硬化促進剤、及び熱エネルギーに反応して硬化が促進される熱硬化促進剤の少なくとも１つを含有させた請求項２記載のインク液充填方法。
【請求項４】
前記領域を長方形状として、前記領域を前記記録媒体上に複数個マトリクス状に配置し、前記領域毎に前記積層体が形成されるように前記インク液を充填する請求項１〜請求項３の何れか１項に記載のインク液充填方法。
【請求項５】
前記隔壁を、インク液を弾く撥液材で構成した請求項１〜請求項４の何れか１項に記載のインク液充填方法。
【請求項６】
請求項１〜請求項５の何れか１項に記載のインク液充填方法を用い、前記記録媒体を透明基板としたカラーフィルタ製造方法。
【請求項７】
透明基板上の隔壁で囲まれた領域に、光エネルギーに反応して硬化が促進される光硬化促進剤を含有するインク液を充填する工程と、
前記領域に充填された前記インク液の溶媒を除去する工程と、
前記領域に、先に充填された前記インク液よりも光硬化促進剤の含有量が少ない前記インク液を、先に充填された前記インク液に重ねて充填する工程と、
前記領域に充填された前記インク液を乾燥させる工程と、
前記領域に充填された前記インク液に前記光エネルギーを付与する工程と、
前記透明基板を前記領域に充填された前記インク液を含めて焼成する工程と、
を含むカラーフィルタ製造方法。
【発明の詳細な説明】
【技術分野】
【０００１】
本発明は、インク液充填方法及びカラーフィルタ製造方法に関する。
【背景技術】
【０００２】
カラー液晶ディスプレイや有機ＥＬディスプレイなどにはカラーフィルタが用いられる。カラーフィルタは、隔壁で囲まれた凹状の素子形成領域が複数個マトリクス状に配列された透明基板とノズル孔を備えたインクジェットヘッドとを相対的に走査させて、顔料や染料などの色素を含むインク液をインク滴としてノズル孔から素子形成領域に打滴することにより素子形成領域にインク液溜りを形成し、透明基板を素子形成領域のインク液溜りを含めて焼成することにより製造される。
【０００３】
しかし、上記のような製造方法では、焼成工程でインク液溜りの上面にカラーフィルタの光学特性に影響を及ぼすほどの皺が発生する場合がある。皺は、焼成工程に入る前に素子形成領域のインク液溜りの流動性が上面側よりも透明基板側（底側）の方が高い場合、すなわち、インク液溜りの透明基板側よりも上面側の硬化が進行している場合に発生し易いことが知られている。
【０００４】
皺の発生を抑制する技術としては、特許文献１に記載の技術が知られている。この技術は、カラーフィルタを製造する場合、紫外線硬化性樹脂に顔料を分散させた塗材を透明ガラス基板の表面に塗布し、焼成工程の前に透明ガラス基板上の塗材に対して透明ガラス基板の裏面から紫外線を照射することにより、焼成工程で塗材の表面に皺を発生させないようにする、という技術である。
【０００５】
従って、特許文献１に記載の技術を利用することで、焼成工程での素子形成領域のインク液溜りの上面の皺の発生を抑制することができる。
【先行技術文献】
【特許文献】
【０００６】
【特許文献１】特開平９−２３０１３２号公報
【発明の概要】
【発明が解決しようとする課題】
【０００７】
しかしながら、特許文献１に記載の技術を利用した場合、紫外線の波長域で吸光係数が著しく増大する性質を有するガラスを通して紫外線をインク液溜りに照射するため、インク液溜りに紫外線を直接照射する場合に比べて照射時間を長くしなければならず、生産性の著しい低下を招いてしまう、という問題点があった。なお、上記透明基板の材料としてプラスチックが採用される場合もあるが、プラスチックは紫外線の波長域で吸光係数がガラスよりも更に増大するので、益々生産性が低下してしまう。
【０００８】
本発明は上記問題点を解決するために成されたものであり、生産性の著しい低下を招くことなくインク液溜りの上面の皺の発生を抑制することができるインク液充填方法及びカラーフィルタ製造方法を提供することを目的とする。
【課題を解決するための手段】
【０００９】
上記目的を達成するために、請求項１記載のインク液充填方法は、記録媒体上の隔壁で囲まれた領域に、硬化速度が下層から上層に向かって層単位で徐々に遅くなるようにインク液層を積層した積層体が形成されるように特定のエネルギーに反応して硬化するインク液を充填するものである。
【００１０】
請求項１記載のインク液充填方法によれば、記録媒体上の隔壁で囲まれた領域に、硬化速度が下層から上層に向かって層単位で徐々に遅くなるようにインク液層を積層した積層体が形成されるように特定のエネルギーに反応して硬化するインク液を充填しているので、特定のエネルギーを積層体に付与することにより、上層のインク液層よりも下層のインク液層の硬化を進行させることができ、この結果、生産性の著しい低下を招くことなくインク液溜りの上面の皺の発生を抑制することができる。
【００１１】
なお、請求項１記載のインク液充填方法は、請求項２記載の発明のように、前記インク液が、前記特定のエネルギーに反応して硬化が促進される硬化促進剤を含有しており、前記積層体を、前記硬化促進剤の含有量が下層から上層に向かって層単位で徐々に少なくなるように前記インク液層を積層させて構成したものとしてもよい。これにより、容易に上層のインク液層よりも下層のインク液層の硬化を進行させることができる。
【００１２】
また、請求項２記載のインク液充填方法は、請求項３記載の発明のように、前記インク液に、光エネルギーに反応して硬化が促進される光硬化促進剤、及び熱エネルギーに反応して硬化が促進される熱硬化促進剤の少なくとも１つを含有させたものとしてもよい。これにより、より一層容易に上層のインク液層よりも下層のインク液層の硬化を進行させることができる。
【００１３】
また、請求項１〜請求項３の何れか１項に記載のインク液充填方法は、請求項４記載の発明のように、前記領域を長方形状として、前記領域を前記記録媒体上に複数個マトリクス状に配置し、前記領域毎に前記積層体が形成されるように前記インク液を充填するものとしてもよい。これにより、記録媒体上の各領域のインク液分布を均一化することができる。
【００１４】
また、請求項１〜請求項４の何れか１項に記載のインク液充填方法は、請求項５記載の発明のように、前記隔壁を、インク液を弾く撥液材で構成したものとしてもよい。これにより、インク液が隔壁を乗り越えて領域外へ流出することを抑制することができる。
【００１５】
一方、上記目的を達成するために、請求項６記載のカラーフィルタ製造方法は、請求項１〜請求項５の何れか１項に記載のインク液充填方法を用い、前記記録媒体を透明基板としたものである。
【００１６】
従って、本発明のカラーフィルタ製造方法によれば、請求項１〜請求項５の何れか１項に記載の発明と同様に作用するので、請求項１〜請求項５の何れか１項に記載の発明と同様に、生産性の著しい低下を招くことなくインク液溜りの上面の皺の発生を抑制することができる。
【００１７】
一方、上記目的を達成するために、請求項７記載のカラーフィルタ製造方法は、透明基板上の隔壁で囲まれた領域に、光エネルギーに反応して硬化が促進される光硬化促進剤を含有するインク液を充填する工程と、前記領域に充填された前記インク液の溶媒を除去する工程と、前記領域に、先に充填された前記インク液よりも光硬化促進剤の含有量が少ない前記インク液を、先に充填された前記インク液に重ねて充填する工程と、前記領域に充填された前記インク液を乾燥させる工程と、前記領域に充填された前記インク液に前記光エネルギーを付与する工程と、前記透明基板を前記領域に充填された前記インク液を含めて焼成する工程と、を含んで構成されている。
【００１８】
請求項７記載のカラーフィルタ製造方法によれば、透明基板上の隔壁で囲まれた領域に、光エネルギーに反応して硬化が促進される光硬化促進剤を含有するインク液を充填し、領域に充填されたインク液の溶媒を除去し、領域に、先に充填されたインク液よりも光硬化促進剤の含有量が少ない前インク液を、先に充填されたインク液に重ねて充填し、領域に充填されたインク液を乾燥させ、領域に充填されたインク液に光エネルギーを付与し、透明基板を領域に充填されたインク液を含めて焼成しているので、領域に充填されたインク液に対して特定のエネルギーを付与することにより、上層のインク液層よりも下層のインク液層の硬化を進行させることができ、この結果、生産性の著しい低下を招くことなくインク液溜りの上面の皺の発生を抑制することができる。
【発明の効果】
【００１９】
本発明のインク液充填方法及びカラーフィルタ製造方法によれば、生産性の著しい低下を招くことなくインク液溜りの上面の皺の発生を抑制することができる、という効果が得られる。
【図面の簡単な説明】
【００２０】
【図１】実施形態に係るインクジェット記録装置の要部構成を示す構成図である。
【図２】実施形態に係るインクジェット記録装置における１つの液滴吐出素子の立体的構成を示す断面図である。
【図３】実施形態に係る透明基板上のインク滴が打滴される側の構成を示す図である。
【図４】実施形態に係るインクジェット記録装置の電気系の要部構成を示すブロック図である。
【図５】実施形態に係る打滴制御処理プログラムの処理の流れを示すフローチャートである。
【図６】打滴領域４２に充填された高感度インクの状態の一例を示す側面視断面図である。
【図７】打滴領域４２に充填された高感度インクの溶媒が除去された状態の一例を示す側面視断面図である。
【図８】打滴領域４２に形成された積層体の状態の一例を示す側面視断面図である。
【図９】インクの打滴形態の他の例を示す図である。
【発明を実施するための形態】
【００２１】
以下、図面を参照して本発明を実施するための最良の形態について詳細に説明する。なお、本実施形態では、インクジェット記録装置を用い、インクジェット記録装置から本発明のインク液充填方法によってインク液（以下、単に「インク」とも言う。）を充填してカラーフィルタを製造する場合を例に挙げて説明する。
【００２２】
図１は、本実施形態に係るインクジェット記録装置１０の要部構成を示す構成図である。同図に示すように、インクジェット記録装置１０は、レッド（Ｒ）の高感度インク（詳しくは後述。）及び低感度インク（詳しくは後述。）、グリーン（Ｇ）の高感度インク及び低感度インク、ブルー（Ｂ）の高感度インク及び低感度インクの各インクに対応して設けられ、対応するインク滴を吐出する複数のインクジェット記録ヘッド（以下、ヘッドという。）１２と、記録媒体としての透明基板１４が載置される載置台１６と、ヘッド１２に接続され、ヘッド１２を同図の矢印方向（以下、「走査方向」ともいう。）に沿って移動させるための動力を発生するモータ１８と、を含んで構成されている。なお、以下、高感度インクと低感度インクとを区別する必要がない場合は単に「インク」と称する。
【００２３】
ヘッド１２は、インク滴を吐出する吐出口であるノズル１２Ａと、ノズル１２Ａに対応する圧力室等からなるインク室ユニット（液滴吐出素子）２０と、を備えている。また、載置台１６は、カラーフィルタの基礎となる透明基板１４を基準位置に固定する機構（図示省略）を備えている。なお、同図では、錯綜を回避するためにヘッド１２を１つだけ図示している。
【００２４】
ここで、本実施形態に係るインクについて説明する。本実施形態に係るインクは、光重合開始剤を含有する染料インクである。本実施形態に係るＲの染料インクは、有機溶剤（溶媒）としてシクロヘキサノン（和光純薬社製）、モノマーとしてＤＰＣＡ−６０（日本化薬社製）、界面活性剤としてＫＦ−３５３（信越シリコーン社製）、及び染料が用いられており、質量比が、有機溶剤：モノマー：界面活性剤：染料＝６９．９５：２０：０．０５：１０となるように調製されている。また、本実施形態に係るＧの染料インクは、有機溶剤（溶媒）としてシクロヘキサノン（和光純薬社製）及びＤＣＨＭＡ（東京化成社製）、モノマーとしてＤＰＣＡ−６０（日本化薬社製）、界面活性剤としてＫＦ−３５３（信越シリコーン社製）、及び染料が用いられており、質量比が、有機溶剤（シクロヘキサノン）：有機溶媒（ＤＣＨＭＡ）：モノマー：界面活性剤：染料＝８０．８３：０．７：１０．３５：０．０５：８．０７となるように調製されている。また、本実施形態に係るＢの染料インクは、有機溶剤（溶媒）としてシクロヘキサノン（和光純薬社製）、モノマーとしてＤＰＣＡ−６０（日本化薬社製）、界面活性剤としてＫＦ−３５３（信越シリコーン社製）、及び染料が用いられており、質量比が、シクロヘキサノン（有機溶剤）：モノマー：界面活性剤：染料＝６２．９５：２７：０．０５：１０となるように調製されている。
【００２５】
本実施形態に係るインクに含まれる光重合開始剤としては、光に反応して自身の化学結合が開裂してラジカル（遊離基）を生成することにより重合を連続的に進行させる光開裂型のものを適用しているが、これに限らず、光重合させるモノマー内の水素を引き抜くことによりラジカルを生成する水素引き抜き型のものを適用してもよい。なお、本実施形態では、光重合開始剤として、下記化合物（１）を適用しているが、これに限らず、例えば、下記化合物（２）を適用してもよい。
【００２６】
【化１】
2010224259.tif 000003
上述したように、本実施形態に係るインクは、光重合開始剤を含んで構成されているため、光が照射されることによりインクの硬化が促進される。高感度インクは、低感度インクよりも硬化速度が速いインクである。すなわち、高感度インク及び低感度インクは、光重合開始剤の含有量が低感度インクよりも高感度インクの方が多くなるように（例えば、高感度インクの光重合開始剤：低感度インクの光重合開始剤＝５：１となるように）調製されている。
【００２７】
図２は、１つの液滴吐出素子（１つのノズル１２Ａに対応した液体室ユニット）２０の立体的構成を示す断面図である。同図に示すように、ノズル１２Ａに対応して設けられている圧力室２２は、その平面形状が略正方形となっており、対角線上の両隅部の一方にノズル１２Ａへの流出口が設けられ、他方に供給インクの流入口（供給口）２４が設けられている。なお、圧力室２２の形状は、上記以外にも、平面形状が四角形（菱形、長方形など）、五角形、六角形その他の多角形、円形、楕円形など、多様な形態があり得る。
【００２８】
圧力室２２は供給口２４を介して流路２６と連通されている。流路２６はインク供給源としてのインクタンク（図示省略）と連通しており、インクタンクから供給されるインクは流路２６を介して圧力室２２に供給される。
【００２９】
圧力室２２の一部の面（図２において天面）を構成している加圧板（共通電極と兼用される振動板）２８には個別電極３０を備えたアクチュエータ３２が接合されている。個別電極３０と共通電極間に駆動電圧を印加することによってアクチュエータ３２が変形して圧力室２２の容積が変化し、これに伴う圧力変化によりノズル１２Ａからインク滴が吐出される。なお、アクチュエータ３２には、チタン酸ジルコン酸鉛やチタン酸バリウムなどの圧電体を用いた圧電素子が好適に用いられる。インク吐出後、アクチュエータ３２の変位が元に戻る際に、流路２６から供給口２４を通って新しいインクが圧力室２２に再充填される。
【００３０】
従って、本実施形態に係るインクジェット記録装置１０では、画像情報から生成されるドット配置データに応じてノズル１２Ａに対応したアクチュエータ３２の駆動を制御することにより、ノズル１２Ａから液滴を吐出させることができる。
【００３１】
図３は、透明基板１４上のインク滴が打滴される側の構成を示す図である。同図に示すように、透明基板１４上は、隔壁４０で囲まれて凹状に形成された複数の平面視長方形状の打滴領域４２に区分されており、当該打滴領域４２は透明基板１４上に複数個マトリクス状に配置されている。打滴領域４２は、インクジェット記録装置１０によってインクが充填されることにより最終的にカラーフィルタの画素を構成するものであり、走査方向が長辺方向とされ、走査方向と直交する方向が短辺方向とされている。なお、本実施形態では、透明基板１４として、透明ガラス基板を適用しているが、これに限らず、アクリルガラス、プラスチック基板、プラスチックフィルムも適用可能である。また、本実施形態では、隔壁４０の厚みを２μｍ、打滴領域４２の長手方向の長さを３２０μｍ、打滴領域４２の短辺方向の長さを９０μｍとしているが、これらの値は適宜変更可能である。また、本実施形態では、隔壁４０を透光性を有しない樹脂（一例として黒色の樹脂）で構成している。このように、隔壁４０は、インクを弾く撥液材で構成された透光性を有しないものであることが好ましい。
【００３２】
図４は、本実施形態に係るインクジェット記録装置１０の電気系の要部構成を示すブロック図である。同図に示すように、インクジェット記録装置１０は、ヘッド１２、モータ１８、通信インタフェース５０、システムコントローラ５２、画像メモリ５４、ＲＯＭ（Read Only Memory）５６、モータドライバ５８及びプリント制御部６０を含んで構成されている。
【００３３】
システムコントローラ５２には、通信インタフェース５０、画像メモリ５４、ＲＯＭ５６、モータドライバ５８及びプリント制御部６０が接続されている。
【００３４】
通信インタフェース５０は、ユーザがインクジェット記録装置１０に対して描画の指示等を行うため等に用いられるホスト装置６２とのインタフェース部である。通信インタフェース５０にはＵＳＢ（Universal Serial Bus）、ＩＥＥＥ１３９４、イーサネット（登録商標）、無線ネットワークなどのシリアルインタフェースやセントロニクスなどのパラレルインタフェースを適用することができる。この部分には、通信を高速化するためのバッファメモリ（図示省略）を搭載しても良い。
【００３５】
ホスト装置６２から送出された、透明基板１４に形成すべき画像を示す画像情報は通信インタフェース５０を介してインクジェット記録装置１０に取り込まれ、一旦画像メモリ５４に記憶される。画像メモリ５４は、通信インタフェース５０を介して入力された画像情報を記憶する記憶手段であり、システムコントローラ５２を通じてデータの読み書きが行われる。画像メモリ５４は、半導体素子からなるメモリに限らず、ハードディスクなど磁気媒体を用いてもよい。
【００３６】
システムコントローラ５２は、ＣＰＵ（中央演算処理装置）及びその周辺回路等から構成され、所定のプログラムに従ってインクジェット記録装置１０の全体を制御する制御装置として機能するとともに、各種演算を行う演算装置として機能する。すなわち、システムコントローラ５２は、通信インタフェース５０、画像メモリ５４、ＲＯＭ５６、モータドライバ５８、プリント制御部６０等の各部を制御し、ホスト装置６２との間の通信制御、画像メモリ５４及びＲＯＭ５６の読み書き制御等を行うと共に、モータ１８の駆動を制御する制御信号を生成する。なお、プリント制御部６０に対しては、制御信号の他に、画像メモリ５４に記憶された画像情報を送信する。
【００３７】
また、ＲＯＭ５６には、システムコントローラ５２が実行するプログラム及び制御に必要な各種データなどが格納されている。ＲＯＭ５６は、書換不能な記憶手段であってもよいが、各種のデータを必要に応じて更新する場合は、ＥＥＰＲＯＭのような書換可能な記憶手段を用いることが好ましい。
【００３８】
画像メモリ５４は、画像情報の一時記憶領域として利用されるとともに、プログラムの展開領域及びシステムコントローラ５２の演算作業領域としても利用される。
【００３９】
モータドライバ５８は、システムコントローラ５２からの指示に従ってモータ１８を駆動するドライバ（駆動回路）である。プリント制御部６０は、システムコントローラ５２の制御に従い、システムコントローラ５２から送信された画像情報から吐出制御用の信号を生成するための各種加工、補正などの処理を行う信号処理手段として機能するとともに、生成した液滴吐出データに基づいてヘッド１２の吐出駆動を制御する。
【００４０】
次に、カラーフィルタの製造工程について説明する。
【００４１】
カラーフィルタの製造は以下に示す工程１〜４に沿って行われる。
【００４２】
工程１；全ての打滴領域４２にインクを充填して各打滴領域４２にインク溜りを形成する。
【００４３】
工程２；打滴領域４２のインク溜りを乾燥させる（以下、「プリベーク」ともいう。）。
【００４４】
工程３；打滴領域４２のインク溜りに対して光を照射する。
【００４５】
工程４；透明基板１４を焼成する（以下、「ポストベーク」ともいう。）。
【００４６】
先ず、工程１（全ての打滴領域４２にインクを充填して各打滴領域４２にインク溜りを形成する工程）について説明する。
【００４７】
本実施形態に係るインクジェット記録装置１０では、カラーフィルタの製造開始の指示が入力されると、カラーフィルタの画素を形成するために、先ず、透明基板１４上の各打滴領域４２に対して、各打滴領域４２にインク溜りが形成されるようにインク滴を打滴する打滴制御処理が実行される。
【００４８】
以下、図５を参照して上記打滴制御処理が実行される際のインクジェット記録装置１０の作用を説明する。なお、図５は、その際にシステムコントローラ５２によって実行される打滴制御処理プログラムの処理の流れを示すフローチャートであり、当該プログラムはＲＯＭ５６の所定領域に予め記憶されている。
【００４９】
同図のステップ１００では、ヘッド１２が所定経路を所定速度で移動するようにモータ１８を駆動させる。次のステップ１０２では、ノズル１２Ａが高感度インクの打滴開始位置（ここでは、高感度インクが打滴されていない打滴領域４２に対向する位置）に到達するまで待機した後、ステップ１０４へ移行し、ヘッド１２に対して、ノズル１２Ａから高感度インクをインク滴として吐出させる制御を行う。
【００５０】
次のステップ１０６では、高感度インクの打滴数が所定数（ここでは、打滴領域４２にて高感度インクが一例として図６に示す状態となるだけの打滴数）に達するまで待機した後、ステップ１０８へ移行し、高感度インクの吐出を停止するようにヘッド１２を制御する。これによって、ヘッド１２は高感度インクの吐出を停止する。
【００５１】
次のステップ１１０では、全ての打滴領域４２についてステップ１０４〜１０８の処理を実行したか否かを判定し、否定判定となった場合にはステップ１０２へ戻る一方、肯定判定となった場合にはステップ１１２へ移行する。
【００５２】
ステップ１１２では、所定時間（ここでは、打滴領域４２の高感度インクが乾燥して一例として図７に示す状態になるまでの時間）経過するまで待機する。これによって、打滴領域４２に充填された高感度インクの溶媒がある程度蒸発するため、後に低感度インクを重ねて充填しても高感度インク及び低感度インクの光重合開始剤の濃度が均一ならない。なお、本実施形態では、自然乾燥により打滴領域４２に充填された高感度インクの溶媒を蒸発させているが、これに限らず、ホットプレートや炉などを使用して強制的な乾燥を行ってもよい。
【００５３】
次のステップ１１４では、ノズル１２Ａが低感度インクの打滴開始位置（ここでは、低感度インクが打滴されていない打滴領域４２に対向する位置）に到達するまで待機した後、ステップ１１６へ移行し、ヘッド１２に対して、ノズル１２Ａから低感度インクをインク滴として吐出させる制御を行う。
【００５４】
次のステップ１１８では、低感度インクの打滴数が所定数（ここでは、打滴領域４２にて低感度インクが一例として図８に示す状態となるだけの打滴数）に達するまで待機した後、ステップ１２０へ移行し、低感度インクの吐出を停止するようにヘッド１２を制御する。これによって、ヘッド１２は低感度インクの吐出を停止する。
【００５５】
次のステップ１２２では、全ての打滴領域４２についてステップ１１６〜１２０の処理を実行したか否かを判定し、否定判定となった場合にはステップ１０２へ戻る一方、肯定判定となった場合には本打滴制御処理プログラムを終了する。
【００５６】
このように、システムコントローラ５２によって打滴制御処理プログラムが実行されることにより、全ての打滴領域４２には、一例として図８に示すように、高感度インク層６５Ａ及び低感度インク層６５Ｂからなるインク溜りとしての積層体６５が形成される。
【００５７】
このように、全ての打滴領域４２に積層体６５が形成された後、上記の工程２が行われる。工程２では、透明基板１４を全ての打滴領域４２に形成された積層体６５を含めて、温度が１００〜１３０℃の雰囲気に数分間放置し、インクの溶媒の大部分を蒸発させる。なお、本実施形態では、工程２のプリベーク及び工程４のポストベークを大気オーブンで行っているが、これに限らず、窒素置換オーブン、ホットプレートなどで行ってもよい。
【００５８】
次の工程３では、透明基板１４の積層体６５に対して上方から紫外線を照射する。これによって、インクに含まれるモノマーの重合及び架橋が進み、積層体６５が硬化していく。このとき、低感度インク層６５Ｂよりも高感度インク層６５Ａの硬化が促進される。
【００５９】
次の工程４では、透明基板１４を全ての打滴領域４２に形成された積層体６５を含めて、温度が２００〜２３０℃の雰囲気に３０分間程度放置することにより焼成する。このとき、低感度インク層６５Ｂよりも下層に位置する高感度インク層６５Ａの硬化が低感度インク層６５Ｂの硬化よりも進行しているため、積層体６５の上面（低感度インク層６５Ｂの上面）に皺が発生し難くなる。
【００６０】
また、以上のようにしてカラーフィルタを光硬化と熱硬化を併用して製造することにより、各画素を構成するインク溜り（積層体６５）の硬化性が高まり、耐薬品性、耐熱性、耐光性、及び耐候性を高めることができる。特に、本実施形態のように染料を用いたインクは顔料を用いたインクよりも耐薬品性で劣る可能性があるため、光硬化と熱硬化を併用することは効果的である。
【００６１】
以上詳細に説明したように、本実施形態に係るカラーフィルタの製造方法よれば、透明基板１４上の隔壁４０で囲まれた打滴領域４２に、硬化速度が下層から上層に向かって層単位で徐々に遅くなるようにインク液層（ここでは、高感度インク層６５Ａ及び低感度インク層６５Ｂ）を積層した積層体６５が形成されるように特定のエネルギー（ここでは、紫外線による光エネルギー）に反応して硬化するインクを充填しているので、上層のインク液層（ここでは、低感度インク層６５Ｂ）よりも下層のインク液層（ここでは、高感度インク層６５Ａ）の硬化を進行させることができ、この結果、生産性の著しい低下を招くことなくインク溜りの上面（ここでは、積層体６５の上面）の皺の発生を抑制することができる。
【００６２】
また、本実施形態に係るカラーフィルタの製造方法よれば、インクが、特定のエネルギーに反応して硬化が促進される硬化促進剤（ここでは、光重合開始剤）を含有しており、積層体６５を、硬化促進剤の含有量が下層から上層に向かって層単位で徐々に少なくなるようにインク液層を積層させて構成しているので、容易に上層のインク液層よりも下層のインク液層の硬化を進行させることができる。
【００６３】
また、本実施形態に係るカラーフィルタの製造方法よれば、打滴領域４２を長方形状として、打滴領域４２を透明基板１４上に複数個マトリクス状に配置し、打滴領域４２毎に積層体６５が形成されるようにインクを充填しているので、インク分布が均一化されたカラーフィルタを製造することができる。
【００６４】
また、本実施形態に係るカラーフィルタの製造方法よれば、隔壁４０を、インクを弾く撥液材で構成しているので、インクが隔壁４０を乗り越えて打滴領域４２の外へ流出することを抑制することができる。
【００６５】
上記実施形態では、１つのノズル１２Ａで打滴領域４２に複数滴のインクを吐出しているが、本発明はこれに限定されるものではなく、一例として図９に示すように、各々インク滴を吐出する複数のノズル７０Ａを有するラインヘッド７０を走査方向に対して直交しない一定の角度θだけ傾けて打滴領域４２に対してワンパス走査を行う形態としてもよい。これによって生産性を向上させることができる。
【００６６】
また、上記実施形態では、高感度インク及び低感度インクの各々が光重合開始剤として化合物（１）を含有している場合について説明したが、本発明はこれに限定されるものではなく、高感度インクが含有する光重合開始剤として化合物（１）に代えて化合物（１）よりも反応性の高い化合物を適用してもよい。なお、光重合開始剤として化合物（１）よりも反応性の高い化合物としては下記化合物（３）が例示できる。
【００６７】
【化２】
2010224259.tif 000004
また、上記実施形態では、感光波長域を広げて、光エネルギーを有効に利用することにより光重合開始剤の感度を高める化合物からなる光増感剤をインクに含有させてもよい。この場合、低感度インクよりも高感度インクにより多くの光増感剤を含有させる。光増感剤としては、ベンゾフェノン、アセトフェノン、チオキトサンなどが例示できる。
【００６８】
また、上記実施形態では、インクが光重合開始剤を含有している場合について説明したが、本発明はこれに限定されるものではなく、インクは光重合開始剤及び熱重合開始剤の少なくとも１つを含有していればよい。熱重合開始剤を用いる場合、低感度インクよりも高感度インクにより多くの熱重合開始剤を含有させる。このように熱重合開始剤を用いることにより、プリベーク及びポストベークのときにもインクの重合反応を促進させることができる。なお、熱重合開始剤としては、過酸化ベンゾイル（ＢＰＯ）に代表される有機過酸化物や、アゾビスイソブチロニトリル（ＡＩＢＮ）に代表されるアゾ化合物が例示できる。
【００６９】
また、上記実施形態では、高感度インク層６５Ａ及び低感度インク層６５Ｂの２層によって積層体６５を構成する場合の形態例を挙げて説明したが、本発明はこれに限定されるものではなく、３層以上の積層体としてもよい。この場合、硬化速度が下層から上層に向かって層単位で徐々に遅くなるようにインク層を積層した積層体とする。これにより、上記実施形態と同様或いはそれ以上の効果が期待できる。
【００７０】
また、上記実施形態では、透明基板１４に対してヘッド１２を相対移動させながらヘッド１２からインク滴を吐出させる場合の形態例を挙げて説明したが、本発明はこれに限定されるものではなく、例えば、ヘッド１２に対して透明基板１４を相対移動させながらヘッド１２からインク滴を吐出させてもよいし、ヘッド１２及び透明基板１４を共に移動させながらヘッド１２からインク滴を吐出させてもよい。このように、ヘッド１２及び透明基板１４の少なくとも一方を相対移動させながらヘッド１２からインク滴を吐出させればよい。
【００７１】
また、上記実施形態では、透明基板１４にインク滴を吐出することによりカラーフィルタを製造する場合について説明したが、本発明はこれに限定されるものではなく、記録媒体として用紙や板材、シート材などを用い、本発明のインク充填方法によって該記録媒体の打滴領域にインクを充填することにより画像を記録してもよい。
【符号の説明】
【００７２】
１０  インクジェット記録装置
１２  ヘッド
１４  透明基板（記録媒体）
４０  隔壁
４２  打滴領域（領域）
５２  システムコントローラ
６５  積層体
６５Ａ  高感度インク層（下層）
６５Ｂ  低感度インク層（上層）
【図１】
2010224259.tif 000005
【図２】
2010224259.tif 000006
【図３】
2010224259.tif 000007
【図４】
2010224259.tif 000008
【図５】
2010224259.tif 000009
【図６】
2010224259.tif 000010
【図７】
2010224259.tif 000011
【図８】
2010224259.tif 000012
【図９】
2010224259.tif 000013